(57)【要約】【課題】使用していないときの無駄な電力消費を抑制可能な画像表示装置を提供すること。【解決手段】画像表示装置１４は、可撓性を有するシート状の基材２０と、基材２０と同じく可撓性を有するとともに基材２０と一体的に設けられたディスプレイ１３と、基材２０表面に配置されて基材２０の屈曲変形を検出する屈曲検出センサ２１と、ディスプレイ１３を制御する制御部と、ディスプレイ１３へ電力を供給する電源と、屈曲検出センサ２１の検出結果から基材２０に所定の第１の屈曲変形態様が生じたか否かを判別する判別回路４０を備えている。そして、判別回路４０により、基材２０の前記第１の屈曲変形態様が生じたことが判別されたときには、ディスプレイ１３の動作モードを、画像表示可能な通常モードから、通常モードよりも消費電力が低い低電力モードに変更する。【選択図】図３
2010224480.tif 000002
【特許請求の範囲】
【請求項１】
可撓性を有するシート状の基材と、
前記基材と同じく可撓性を有するとともに前記基材と一体的に設けられた、画像を表示する表示部と、
前記基材表面に配置されて前記基材の屈曲変形を検出する屈曲検出手段と、
前記表示部を制御する表示制御手段と、
前記表示部へ電力を供給する電源装置と、
前記屈曲検出手段の検出結果から、前記基材に所定の第１の屈曲変形態様が生じたか否かを判別する屈曲変形判別手段と、
前記屈曲変形判別手段により、前記基材の前記第１の屈曲変形態様が生じたことが判別されたときに、前記表示部の動作モードを、画像表示可能な通常モードから、前記通常モードよりも消費電力が低い低電力モードに変更するモード変更手段と、
を備えていることを特徴とする画像表示装置。
【請求項２】
前記基材の複数の領域における屈曲変形をそれぞれ検出する複数の前記屈曲検出手段を有することを特徴とする請求項１に記載の画像表示装置。
【請求項３】
前記屈曲変形判別手段は、前記複数の屈曲検出手段のそれぞれの検出結果から、前記基材に生じた屈曲変形が、前記第１の屈曲変形態様か、これとは異なる第２の屈曲変形態様かを判別することを特徴とする請求項２に記載の画像表示装置。
【請求項４】
前記表示制御手段は、
前記屈曲変形判別手段により、前記基材に前記第２の屈曲変形態様が生じたことが判別されたときに、前記表示部に表示させる画像を変更することを特徴とする請求項３に記載の画像表示装置。
【請求項５】
前記屈曲検出手段は、
前記基材の面積重心を通る直線上に位置する所定領域における、前記基材の屈曲変形を検出するように構成されており、
前記屈曲検出手段により前記所定領域における屈曲変形が検出されたときに、前記屈曲変形判別手段は、前記基材に、前記第１の屈曲変形態様としての、前記基材が前記直線を境に二つ折りされる態様が生じたことを判別することを特徴とする請求項１〜４の何れかに記載の画像表示装置。
【請求項６】
前記基材は矩形の平面形状を有するものであり、
前記所定領域は、前記基材の２つの長辺の中点同士を結ぶ直線上に位置していることを特徴とする請求項５に記載の画像表示装置。
【請求項７】
前記基材の面方向に平行な所定の一方向に沿って並んで位置する、前記基材の複数の所定領域の屈曲変形をそれぞれ検出する、複数の前記屈曲検出手段を有し、
前記複数の屈曲検出手段により、前記複数の所定領域の屈曲変形が前記所定の一方向に沿って順に検出されたときに、前記屈曲変形判別手段は、前記基材に、前記第１の屈曲変形態様としての、前記所定の一方向に丸められる態様が生じたことを判別することを特徴とする請求項１〜４の何れかに記載の画像表示装置。
【請求項８】
前記基材は矩形の平面形状を有するものであり、
前記複数の所定領域は、前記基材の長辺方向に沿って並んで位置していることを特徴とする請求項７に記載の画像表示装置。
【請求項９】
前記停電力モードは、前記電源装置をＯＦＦにする電源ＯＦＦモードであることを特徴とする請求項１〜８の何れかに記載の画像表示装置。
【請求項１０】
前記表示部の動作モードが前記低電力モードである状態で、前記屈曲変形判別手段により、前記基材に、前記第１の屈曲変形態様とは反対方向の屈曲変形が生じたことが判別されたときには、前記モード変更手段は、前記表示部の動作モードを、前記停電力モードから前記通常モードに変更することを特徴とする請求項１〜８の何れかに記載の画像表示装置。
【請求項１１】
画像を表示する表示部と、
可撓性を有するシート状の基材、及び、前記基材表面に配置されて前記基材の屈曲変形を検出する屈曲検出手段を有する入力手段と、
前記表示部を制御する表示制御手段と、
前記表示部へ電力を供給する電源装置と、
前記屈曲検出手段の検出結果から、前記基材に所定の第１の屈曲変形態様が生じたか否かを判別する屈曲変形判別手段と、
前記屈曲変形判別手段により、前記基材の前記第１の屈曲変形態様が生じたことが判別されたときに、前記表示部の動作モードを、画像表示可能な通常モードから、前記通常モードよりも消費電力が低い低電力モードに変更するモード変更手段と、
を備えていることを特徴とする画像表示装置。
【請求項１２】
画像を表示する表示部と、
被記録媒体に画像を記録する画像記録部と、
可撓性を有するシート状の基材、及び、前記基材表面に配置されて前記基材の屈曲変形を検出する屈曲検出手段を有する入力手段と、
前記表示部及び前記画像記録部を制御する制御手段と、
前記表示部及び前記画像記録部へ電力を供給する電源装置と、
前記屈曲検出手段の検出結果から、前記基材に所定の第１の屈曲変形態様が生じたか否かを判別する屈曲変形判別手段と、
前記屈曲変形判別手段により、前記基材の前記第１の屈曲変形態様が生じたことが判別されたときに、前記表示部及び前記画像記録部の動作モードを、前記表示部及び前記画像記録部が動作可能な通常モードから、前記通常モードよりも消費電力が低い低電力モードに変更するモード変更手段と、
を備えていることを特徴とする記録装置。
【請求項１３】
前記表示部は、前記入力手段の前記基材と同じく可撓性を有するとともに、前記基材と一体的に設けられていることを特徴とする請求項１２に記載の記録装置。
【発明の詳細な説明】
【技術分野】
【０００１】
本発明は、画像を表示する画像表示装置、及び、画像を記録する記録装置に関する。
【背景技術】
【０００２】
印刷用紙等の被記録媒体に画像を記録（印刷）するプリンタ等、画像データを取り扱う装置においては、一般的に、画像を表示可能な表示部（ディスプレイ）と、ユーザーによって情報が入力される操作パネル等の入力部が設けられている（例えば、特許文献１参照）。また、通常、このような表示部を備えた装置には、電源のＯＮ／ＯＦＦを行うための電源スイッチが、装置本体に設けられている。そして、装置使用時には、ユーザーは、電源スイッチを操作して電源をＯＮにした後に入力部を適宜操作して、表示部における画像表示や、表示された画像の印刷等の、所望の動作を装置に行わせる。
【先行技術文献】
【特許文献】
【０００３】
【特許文献１】特開２００６−３５６６２号公報
【発明の概要】
【発明が解決しようとする課題】
【０００４】
しかし、通常、電源スイッチは、画像が表示される表示部や、ユーザーによって操作される入力部とは別に、やや離れた位置に設けられており、ユーザーが操作パネル等の入力部を操作して装置に所望の動作を行わせた後、電源スイッチを操作して電源をＯＦＦにすることを忘れてしまうことも多く、その場合には、装置を使用していない状態で無駄に電力を消費することになっていた。
【０００５】
本発明の目的は、使用していないときの無駄な電力消費を抑制可能な画像表示装置を提供することである。
【課題を解決するための手段】
【０００６】
第１の発明の画像表示装置は、可撓性を有するシート状の基材と、前記基材と同じく可撓性を有するとともに前記基材と一体的に設けられた、画像を表示する表示部と、前記基材表面に配置されて前記基材の屈曲変形を検出する屈曲検出手段と、前記表示部を制御する表示制御手段と、前記表示部へ電力を供給する電源装置と、前記屈曲検出手段の検出結果から、前記基材に所定の第１の屈曲変形態様が生じたか否かを判別する屈曲変形判別手段と、前記屈曲変形判別手段により、前記基材の前記第１の屈曲変形態様が生じたことが判別されたときに、前記表示部の動作モードを、画像表示可能な通常モードから、前記通常モードよりも消費電力が低い低電力モードに変更するモード変更手段とを備えていることを特徴とするものである。
【０００７】
本発明においては、可撓性を有し、折り曲げ可能な基材に、画像を表示する表示部が一体的に設けられている。そして、この表示部が一体化された基材を折り曲げるなどして、基材に、所定の第１の屈曲変形態様を生じさせると、表示部の動作モードが、画像表示可能な通常モードから低電力モードに移行する。そのため、例えば、画像表示装置の使用終了後にユーザーが電源を落とすことを忘れていたとしても、使用が終わった後に、基材を所定の収納位置に収納する際などに無意識に基材を折り曲げる動作を行うだけで、停電力モードに移行させることが可能となり、使用していないときの無駄な電力消費を抑えることができる。
【０００８】
第２の発明の画像表示装置は、前記第１の発明において、前記基材の複数の領域における屈曲変形をそれぞれ検出する複数の前記屈曲検出手段を有することを特徴とするものである。
【０００９】
このように、屈曲検出手段が複数設けられていると、基材に第１の屈曲変形態様が生じたか否かを、より正確に検出することが可能となる。あるいは、第１の屈曲変形態様とこれとは別の変形態様を、区別して検出することが可能となる。
【００１０】
第３の発明の画像表示装置は、前記第２の発明において、前記屈曲変形判別手段は、前記複数の屈曲検出手段のそれぞれの検出結果から、前記基材に生じた屈曲変形が、前記第１の屈曲変形態様か、これとは異なる第２の屈曲変形態様かを判別することを特徴とするものである。
【００１１】
この構成によれば、複数の屈曲検出手段の検出結果から、第１の屈曲変形態様と、これとは別の第２の屈曲変形態様を、区別して判別することができる。
【００１２】
第４の発明の画像表示装置は、前記第３の発明において、前記表示制御手段は、前記屈曲変形判別手段により、前記基材に前記第２の屈曲変形態様が生じたことが判別されたときに、前記表示部に表示させる画像を変更することを特徴とするものである。
【００１３】
この構成によれば、通常モードから低電力モードへの移行を行う際の第１の屈曲変形態様とは区別して判別される、第２の屈曲変形態様に、画像変更という、動作モードの切り換えとは別の動作が割り当てられて、１つの基材に２種類の屈曲変形態様をそれぞれ生じさせることで、低電力モードへの移行と表示部の表示画像の変更という異なる２つの動作をそれぞれ行わせることができる。尚、「表示部に表示させる画像を変更する」とは、表示部の画面全体に表示される画像の一部又は全体を変更することを指す。従って、現在表示されている、ある画像を別の画像に切り替えることはもちろんのこと、現在表示されている画像に対して拡大又は縮小といった画像処理を施すことも含まれる。
【００１４】
第５の発明の画像表示装置は、前記第１〜第４の何れかの発明において、前記屈曲検出手段は、前記基材の面積重心を通る直線上に位置する所定領域における、前記基材の屈曲変形を検出するように構成されており、
前記屈曲検出手段により前記所定領域における屈曲変形が検出されたときに、前記屈曲変形判別手段は、前記基材に、前記第１の屈曲変形態様としての、前記基材が前記直線を境に二つ折りされる態様が生じたことを判別することを特徴とするものである。
【００１５】
画像表示装置の使用終了後には、シート状の基材は二つ折りにされる可能性が高い。そこで、本発明においては、基材を二つ折りにしたときの、基材の屈曲変形を、低電力モードへの移行のための第１の屈曲変形態様として検出する。
【００１６】
第６の発明の画像表示装置は、前記第５の発明において、前記基材は矩形の平面形状を有するものであり、前記所定領域は、前記基材の２つの長辺の中点同士を結ぶ直線上に位置していることを特徴とするものである。
【００１７】
矩形状の基材を二つ折りする場合には、その長辺方向両端部が重なるように、基材の２つの長辺の中点同士を結ぶ直線で折り畳むのが自然である。このような折り畳まれ方がなされたときには、２つの長辺の中点を結ぶ直線上の領域が特に大きく屈曲することから、この直線上の領域の屈曲変形を確実に検出できるように屈曲変形手段が構成されることが好ましい。
【００１８】
第７の発明の画像表示装置は、前記第１〜第４の何れかの発明において、前記基材の面方向に平行な所定の一方向に沿って並んで位置する、前記基材の複数の所定領域の屈曲変形をそれぞれ検出する、複数の前記屈曲検出手段を有し、
前記複数の屈曲検出手段により、前記複数の所定領域の屈曲変形が前記所定の一方向に沿って順に検出されたときに、前記屈曲変形判別手段は、前記基材に、前記第１の屈曲変形態様としての、前記所定の一方向に丸められる態様が生じたことを判別することを特徴とするものである。
【００１９】
画像表示装置の使用終了後には、シート状の基材を丸めて所定の位置に収納することも十分に考えられる。そこで、本発明においては、基材を丸めたときの、基材の屈曲変形を、低電力モードへの移行のための第１の屈曲変形態様として検出する。
【００２０】
第８の発明の画像表示装置は、前記第７の発明において、前記基材は矩形の平面形状を有するものであり、前記複数の所定領域は、前記基材の長辺方向に沿って並んで位置していることを特徴とするものである。
【００２１】
矩形状の基材を丸める場合には、その長辺方向に沿って丸めるのが自然である。このような丸め方がなされたときには、基材には長辺方向に沿って順に屈曲変形が発生することから、複数の屈曲変形手段によってそれぞれ屈曲変形が検出される領域が、長手方向に並ぶことが好ましい。
【００２２】
第９の発明の画像表示装置は、前記第１〜第８の何れかの発明において、前記停電力モードは、前記電源装置をＯＦＦにする電源ＯＦＦモードであることを特徴とするものである。
【００２３】
このように、第１の屈曲変形態様が検出されたときには、電源装置をＯＦＦにすることで、表示部の消費電力を一層低減することができる。
【００２４】
第１０の発明の画像表示装置は、前記第１〜第８の何れかの発明において、前記表示部の動作モードが前記低電力モードである状態で、前記屈曲変形判別手段により、前記基材に、前記第１の屈曲変形態様とは反対方向の屈曲変形が生じたことが判別されたときには、前記モード変更手段は、前記表示部の動作モードを、前記停電力モードから前記通常モードに変更することを特徴とするものである。
【００２５】
この構成によれば、表示部の動作モードが低電力モードにあるときに、基材を、低電力モードへ移行させるための第１の屈曲変形態様とは反対方向に屈曲させることで、低電力モードから通常モードへ簡単に復帰させることができる。
【００２６】
第１１の発明の画像表示装置は、画像を表示する表示部と、可撓性を有するシート状の基材、及び、前記基材表面に配置されて前記基材の屈曲変形を検出する屈曲検出手段を有する入力手段と、前記表示部を制御する表示制御手段と、前記表示部へ電力を供給する電源装置と、前記屈曲検出手段の検出結果から、前記基材に所定の第１の屈曲変形態様が生じたか否かを判別する屈曲変形判別手段と、前記屈曲変形判別手段により、前記基材の前記第１の屈曲変形態様が生じたことが判別されたときに、前記表示部の動作モードを、画像表示可能な通常モードから、前記通常モードよりも消費電力が低い低電力モードに変更するモード変更手段とを備えていることを特徴とするものである。
【００２７】
本発明においては、ユーザーによって操作される入力手段が可撓性を有する基材を備えている。そして、この基材を折り曲げるなどして、基材に、所定の第１の屈曲変形態様を生じさせると、表示部の動作モードが、画像表示可能な通常モードから低電力モードに移行する。そのため、画像表示装置の使用終了後にユーザーが電源を落とすことを忘れていたとしても、使用が終わった後に、基材を所定の収納位置に収納する際などに無意識に基材を折り曲げる動作を行うだけで、停電力モードに移行させることが可能となり、使用していないときの無駄な電力消費を抑えることができる。
【００２８】
第１２の発明の記録装置は、画像を表示する表示部と、被記録媒体に画像を記録する画像記録部と、可撓性を有するシート状の基材、及び、前記基材表面に配置されて前記基材の屈曲変形を検出する屈曲検出手段を有する入力手段と、前記表示部及び前記画像記録部を制御する制御手段と、前記表示部及び前記画像記録部へ電力を供給する電源装置と、前記屈曲検出手段の検出結果から、前記基材に所定の第１の屈曲変形態様が生じたか否かを判別する屈曲変形判別手段と、前記屈曲変形判別手段により、前記基材の前記第１の屈曲変形態様が生じたことが判別されたときに、前記表示部及び前記画像記録部の動作モードを、前記表示部及び前記画像記録部が動作可能な通常モードから、前記通常モードよりも消費電力が低い低電力モードに変更するモード変更手段とを備えていることを特徴とするものである。
【００２９】
本発明においては、ユーザーによって操作される入力手段が可撓性を有する基材を備えている。そして、この基材を折り曲げるなどして、基材に、所定の第１の屈曲変形態様を生じさせると、表示部及び画像記録部の動作モードが、通常モードから低電力モードに移行する。そのため、記録装置の使用終了後にユーザーが電源を落とすことを忘れていたとしても、使用が終わった後に、基材を所定の収納位置に収納する際などに無意識に基材を折り曲げる動作を行うだけで、停電力モードに移行させることが可能となり、使用していないときの無駄な電力消費を抑えることができる。
【００３０】
第１３の発明の記録装置は、前記第１２の発明において、前記表示部は、前記入力手段の前記基材と同じく可撓性を有するとともに、前記基材と一体的に設けられていることを特徴とするものである。
【００３１】
この構成によれば、表示部が一体化された基材を折り曲げるなどして、この基材に第１の屈曲変形態様を生じさせることで、表示部及び画像記録部の動作モードを低電力モードに切り換えることができる。
【発明の効果】
【００３２】
可撓性を有する基材を折り曲げるなどして、基材に、所定の第１の屈曲変形態様を生じさせると、表示部の動作モードが、画像表示可能な通常モードから低電力モードに移行する。そのため、画像表示装置の使用終了後にユーザーが電源を落とすことを忘れていたとしても、使用が終わった後に、基材を所定の収納位置に収納する際などに無意識に基材を折り曲げる動作を行うだけで、停電力モードに移行させることが可能となり、使用していないときの無駄な電力消費を抑えることができる。
【図面の簡単な説明】
【００３３】
【図１】本実施形態に係るプリンタ（使用状態）の斜視図である。
【図２】プリンタの制御系を概略的に示すブロック図である。
【図３】画像表示装置を示す図であり、（ａ）は平面図、（ｂ）は（ａ）のＡ−Ａ線断面図である。
【図４】（ａ）は屈曲検出センサを基材の裏面側から見た図、（ｂ）は（ａ）のＢ−Ｂ線断面図である。
【図５】基材の７種類の屈曲変形態様を示す図である。
【図６】図５の７種類の屈曲変形態様に対応する屈曲検出センサの出力信号、及び、屈曲変形態様に割り付けられた処理内容を示す図である。
【図７】本実施形態に係るプリンタ（使用後）の斜視図である。
【図８】変更形態の、基材が一方向に丸められた屈曲変形態様を示す図である。
【図９】別の変更形態の画像表示装置を示す図であり、（ａ）は平面図、（ｂ）は（ａ）のＣ−Ｃ線断面図である。
【図１０】さらに別の変更形態に係るプリンタの斜視図である。
【図１１】図１０のプリンタの制御系を概略的に示すブロック図である。
【発明を実施するための形態】
【００３４】
次に、本発明の実施形態について説明する。図１は、本実施形態に係るプリンタの斜視図、図２は、プリンタの電気的構成を概略的に示すブロック図である。
【００３５】
図１、図２に示すように、第１実施形態のプリンタ１（記録装置）は、印刷用紙Ｐ（被記録媒体）に画像を記録する記録ヘッド２（画像記録部）と、印刷用紙Ｐを所定方向（図１の前方）へ搬送する搬送機構３と、記録ヘッド２及び搬送機構３を含む、プリンタ１の各種機構をそれぞれ制御する制御装置４を備えている。
【００３６】
図１に示すように、プリンタ１は、略直方体状のプリンタ本体６を有し、このプリンタ本体６内に、記録ヘッド２、搬送機構３、及び、制御装置４等が収容されている。記録ヘッド２としては、インクジェット方式や、レーザー方式、あるいは、熱転写方式等、公知の方式で印刷用紙Ｐに印刷を行うものが用いられる。この記録ヘッド２は、画像データが記録されたデータ記録媒体７（図２参照）がプリンタ１に接続された状態で、制御装置４からの指令に基づいて、データ記録媒体７から入力された、画像データ（画像ファイル）の画像を印刷用紙Ｐに記録する。尚、以下の説明において、１つの画像データ（画像ファイル）とは、１枚の画像を構成するひとまとまりのデータの集合体を意味するものとする。
【００３７】
プリンタ本体６の下半部はその一部が前方に開放されており、この開放部分には、印刷用紙Ｐが収容される給紙トレイ９と、画像が記録された印刷用紙Ｐが排出される排紙トレイ８が設けられている。そして、搬送機構３は、モータで回転駆動される搬送ローラによって、給紙トレイ９内の印刷用紙Ｐを、プリンタ本体６内の記録ヘッド２へ搬送するとともに、記録ヘッド２により画像が記録された印刷用紙Ｐを前方の排紙トレイ８へ排出する。
【００３８】
プリンタ本体６の下半部前面の、給紙トレイ９及び排紙トレイ８の側方位置には、カートリッジ装着部１０が設けられており、このカートリッジ装着部１０には、４色のインク（イエロー、マゼンタ、シアン、及び、ブラック）をそれぞれ収容した４つのインクカートリッジ１１が着脱自在に装着される。また、プリンタ本体６の、カートリッジ装着部１０と隣接する部分には、後述する画像表示装置１４を折り畳んで収納するための収納部１５が設けられている。
【００３９】
プリンタ本体６の上部は、図１の紙面手前側に位置するユーザーに向けて、前方に傾斜しており、この傾斜面６ａには、ユーザーにより操作される複数の操作ボタン１２が設けられている。
【００４０】
さらに、プリンタ１は、印刷用紙Ｐに印刷する画像を表示する画像表示装置１４を備えている。図３（ａ）は、画像表示装置１４の平面図、図３（ｂ）は図３（ａ）のＢ−Ｂ線断面図である。画像表示装置１４は、プリンタ本体６内に格納された制御装置４（図２参照）と無線通信によって相互にデータの送受信が可能となっている。あるいは、画像表示装置１４が、制御装置４とケーブル（有線）で接続されてもよい。
【００４１】
図１〜図３に示すように、画像表示装置１４は、可撓性を有するシート状の基材２０と、基材２０に一体的に設けられるとともに画像を表示可能なディスプレイ１３と、ディスプレイ１３を制御する制御部２２（図２参照）と、基材２０の屈曲変形を検出する屈曲検出センサ２１（屈曲検出部）と、屈曲検出センサ２１の検出結果に基づいて基材２０の屈曲変形態様を判別する判別回路４０（屈曲変形判別手段）とを備えている。
【００４２】
ディスプレイ１３に表示させる画像を変更したい場合には、ユーザーは、画像表示装置１４の基材２０を、紙を曲げるように操作する。このとき、基材２０に屈曲変形が生じ、その屈曲変形は、基材２０に設けられた複数（５つ）の屈曲検出センサ２１により検出される。そして、これらの屈曲検出センサ２１の検出結果から判別回路４０が基材２０の屈曲変形の態様を判別し、それに基づいて制御部２２がディスプレイ１３に表示させる画像を変更するようになっている。これに加えて、本実施形態の画像表示装置１４は、判別回路４０で判別された基材２０の屈曲変形の態様に基づいて、電源をＯＦＦすることも可能となっている。以下、上記作用を奏する画像表示装置１４の具体的な構成について以下詳細に説明する。尚、図３（ａ），（ｂ）における左右方向を左右方向と定義して以下説明する。
【００４３】
図３（ａ）に示すように、基材２０は、平面視で矩形状に形成されている。また、この可撓性の基材２０としては、ポリイミドなどの合成樹脂材料からなる樹脂シート材、あるいは、アルミニウム合金やステンレスなどの金属材料からなる薄板等を用いることができる。また、基材２０の上面には、ディスプレイ１３等の画像表示装置１４の各部へ電力を供給する電源４２（図２参照）の、ＯＮ／ＯＦＦを切り換える電源スイッチ４３が設けられている。
【００４４】
ディスプレイ１３は、基材２０の表面（図３（ａ）紙面手前側の面）の中央部に配置されており、基材２０と一体的に屈曲変形可能となっている。このようなディスプレイ１３としては、厚みが１０分の数ミリ程度と、紙と同等の厚みであって、電圧印加等によってデータ表示及び消去が可能な、いわゆる、電子ペーパーを挙げることができる。
【００４５】
この基材２０の裏面（ディスプレイ１３と反対側の面、図３の紙面向こう側の面）には、５つの屈曲検出センサ２１ａ〜２１ｅが設けられている。図３（ａ）に示すように、５つの屈曲検出センサ２１ａ〜２１ｅのうち、第１屈曲検出センサ２１ａは、矩形状の基材２０の面積中心を通り、且つ、２つの長辺の中点を結ぶ直線Ｌ（縦方向中心線）上に位置し、平面視で基材２０のほぼ中央領域に設けられている。また、第２屈曲検出センサ２１ｂは、第１屈曲検出センサ２１ａの右側、第３屈曲検出センサ２１ｃは、第１屈曲検出センサ２１ａの左側にそれぞれ配置されている。さらに、第４屈曲検出センサ２１ｄは、矩形状の基材２０の右上の角部、第５屈曲検出センサ２１ｅは、矩形状の基材２０の左上の角部にそれぞれ配置されている。
【００４６】
また、屈曲検出センサ２１ａ〜２１ｅとしては、基材２０の屈曲変形を検出できるものであれば特に限定されるものではないが、本実施形態では、圧電素子の機械−電気変換作用（圧電効果）を利用して対象物に生じた歪みを電圧信号に変換する圧電センサが採用されている。
【００４７】
５つの屈曲検出センサ２１ａ〜２１ｅは同様の構成を有するため、以下ではそのうちの１つについて説明する。図４は屈曲検出センサ２１の具体的構成を示す図であり、（ａ）は屈曲検出センサ２１を基材２０の裏面側から見た図、（ｂ）は（ａ）のＢ−Ｂ線断面図である。図４に示すように、屈曲検出センサ２１は、基材２０の裏面に設けられた圧電層２３と、圧電層２３の基材２０と反対側の面に設けられた２種類の電極２４，２５とを有する。
【００４８】
圧電層２３は、例えば、チタン酸鉛とジルコン酸鉛との固溶体であり強誘電体であるチタン酸ジルコン酸鉛（ＰＺＴ）を主成分とする圧電材料からなり、例えばエアロゾルデポジション法や、スパッタ法、ゾルゲル法等によって基材２０の裏面に形成することができる。尚、本実施形態では、図３（ｂ）に示すように、圧電層２３は、基材２０の裏面全域に形成されており、５つの屈曲検出センサ２１ａ〜２１ｅに共通に設けられている。
【００４９】
圧電層２３の表面（基材２０と反対側の面）には、面方向に平行な一方向に沿って延在するとともに、互いに導通した櫛歯状の複数の第１電極２４と、これら複数の第１電極２４と平行に延在するとともに互いに導通した、同じく櫛歯状の複数の第２電極２５とが設けられている。さらに、複数の第１電極２４と複数の第２電極２５は、間隔を空けて互い違いに配置されている。これら第１電極２４及び第２電極２５は、金、銅、銀、パラジウム、白金、あるいは、チタンなどの導電性材料により、スクリーン印刷法や蒸着法等を用いて形成される。尚、図３（ａ）に示すように、基材２０の中央領域に設けられた、屈曲検出センサ２１ａ〜２１ｃにおいては、第１電極２４と第２電極２５は、基材２０の短手方向（図３（ａ）の上下方向）と平行に延在している。また、基材２０の角部に設けられた屈曲検出センサ２１ｄ，２１ｅにおいては、第１電極２４と第２電極２５の延在方向は、平面視で、基材２０の短手方向に対して内側に傾いている。
【００５０】
図４（ａ）に示すように、互いに導通した複数の第１電極２４からは配線２６が引き出されており、この第１電極２４の配線２６は判別回路４０（図３（ａ）参照）と接続されている。また、互いに導通した複数の第２電極２５からも配線２７が引き出され、この第２電極２５の配線２７はグランドに接続されており、配線２７を介して、すべての第２電極２５が常にグランド電位に保持されている。尚、圧電層２３は、予め、圧電層２３の面方向に平行で、且つ、第１電極２４から第２電極２５に向かう方向に沿って分極されている。
【００５１】
図４に示すように、圧電層２３の表面（基材２０と反対側の面）には、屈曲検出センサ２１の第１電極２４と第２電極２５を全て覆うように、絶縁層２８が形成されている。この絶縁層２８は、ポリイミド等の絶縁性を有する合成樹脂材料で形成することができる。このように、第１電極２４と第２電極２５とが絶縁層２８で覆われることにより、電極２４，２５の剥離や破損、あるいは、第１電極２４と第２電極２５の間の短絡等が防止される。
【００５２】
次に、屈曲検出センサ２１の基材２０の屈曲変形を検出する際の作用について説明する。屈曲検出センサ２１が設けられている領域において基材２０に屈曲変形が生じて、圧電層２３が、分極方向と平行な、電極２４，２５の延在方向と直交する方向（図４（ａ）の左右方向）に沿って伸張又は圧縮されると、この圧電層２３の伸縮変形に応じて、相対向する第１電極２４と第２電極２５との間に電位差が生じる（圧電効果）。
【００５３】
より具体的には、第１電極２４と第２電極２５との間の圧電層２３の部分に、電極の延在方向と直交する方向に伸張（引っ張り）変形が生じたときには、第１電極２４に、第２電極２５の電位（グランド電位）よりも高い正の電位が発生する。一方、第１電極２４と第２電極２５との間の圧電層２３の部分に、電極の延在方向と直交する方向に収縮（圧縮）変形が生じたときには、第１電極２４に、第２電極２５の電位（グランド電位）よりも低い負の電位が発生する。
【００５４】
ここで、本実施形態では、基材２０の裏面の互いに異なる領域に５つの屈曲検出センサ２１が設けられている。さらに、基材２０には、５つの屈曲検出センサ２１ａ〜２１ｅの出力電圧信号（が入力される判別回路４０が設けられている。そして、判別回路４０は、５つの屈曲検出センサ２１の出力電圧の変化から、基材２０の５つの異なる領域における基材２０の変形（伸張及び圧縮）をそれぞれ検出することができる。これにより、図５（ａ）〜（ｇ）に示すような、屈曲箇所や屈曲方向等が異なる、基材２０の複数の屈曲変形態様を区別して検出することが可能となる。
【００５５】
例えば、図５（ａ）のように、基材２０が、全体が上に凸となるように、短辺に平行な軸周りに曲げられたときには、この基材２０の裏面に設けられた圧電層２３は、基材２０の中央領域において圧縮されることから、この中央領域の３つの屈曲検出センサ２１ａ〜２１ｃの第１電極２４の電位が第２電極２５の電位（グランド電位）よりも低くなり、それぞれ負の電圧信号が出力される。一方、基材２０の角部における圧電層２３はあまり変形しないことから、２つの角部にそれぞれ配置されている２つの屈曲検出センサ２１の第１電極２４の電位はグランド電位からほとんど変化せず、出力電圧はグランドのままである。
【００５６】
このように、基材２０の複数の屈曲変形態様を区別して検出することができると、これら複数の屈曲変形態様のそれぞれに対して、画像表示装置１４の様々な動作を割り付けることができる。尚、図５（ａ）〜（ｇ）に示す７種類の屈曲変形態様の検出、及び、これらの屈曲変形態様に対する画像表示装置１４の動作の割り付けについては後ほどさらに詳細に説明する。
【００５７】
次に、プリンタ１の電気的構成について、図２のブロック図を参照して詳細に説明する。制御装置４は、中央演算処理装置であるＣＰＵ（Central Processing Unit）と、プリンタ１の各種機構を制御するためのプログラムやデータ等が格納されたＲＯＭ（Read Only Memory）、ＣＰＵで処理されるデータを一時的に記憶するＲＡＭ（Random Access Memory）、外部装置との間の信号の入出力を行う入出力インターフェース等で構成されている。
【００５８】
図２に示すように、制御装置４は、記録制御部３０と、データ記録媒体７から入力された画像データが記憶される画像データ記憶部３１とを有する。データ記録媒体７には、データファイルの名前（例えば、アルファベット順）や画像データの作成日時といった、ある所定の条件に基づいて予め順序付けされた複数の画像データが、画像フォルダで区分けされて記録されている。そして、データ記録媒体７がプリンタ１に接続された状態で、データ記録媒体７から読み出された複数の画像データが画像データ記憶部３１に記憶される。
【００５９】
尚、画像データが記録されたデータ記録媒体７としては、ＵＳＢメモリーやメモリカード等、プリンタのスロット等に差し込まれることにより接続されるストレージデバイス、あるいは、ケーブル等の有線、あるいは、無線で制御装置４と接続される外部記憶装置等が該当する。また、データ記録媒体７に記録されているデータは、デジタルカメラで撮影された静止画像データだけでなく、デジタルビデオカメラで撮影された動画データであってもよい。ここで、動画データとは、時間的に連なった複数の静止画像データの集合体である。この動画データがデータ記録媒体７から入力された場合には、制御装置４において、入力された動画データから複数の静止画像データが抽出され、これらの複数の静止画像データの一部がディスプレイ１３に表示されたり、あるいは、印刷用紙Ｐにその静止画像が記録されたりすることになる。
【００６０】
記録制御部３０は、画像データ記憶部３１に記憶されたデータを参照して、記録ヘッド２と搬送機構３をそれぞれ制御することにより、ユーザーによって選択された画像データの画像を、印刷用紙Ｐに印刷するように構成されている。
【００６１】
一方、画像表示装置１４は、ディスプレイ１３を含む画像表示装置１４全体の制御を司る制御部２２（表示制御手段）を備えている。この制御部２２は、例えば、ＣＰＵ、ＲＯＭ、ＲＡＭ等を有するマイクロコンピュータで構成することができる。別の言い方をすれば、マイクロコンピュータのＲＯＭに、ディスプレイ１３の制御プログラム等の各種プログラムが格納されており、このＲＯＭに格納されたプログラムが、ＣＰＵで実行されることによって、制御部２２の機能が実現される。
【００６２】
また、画像表示装置１４は、５つの屈曲検出センサ２１の出力信号から基材２０の屈曲変形態様を判別する、前述の判別回路４０と、ディスプレイ１３等の画像表示装置１４の各部に電力を供給する電源を制御する、電源制御回路４１を備えている。電源制御回路４１は、ユーザーによって電源スイッチ４３が操作された場合に、電源のＯＮ／ＯＦＦを切り換えるものである。
【００６３】
そして、５つの屈曲検出センサ２１ａ〜２１ｅの出力信号に基づいて、判別回路４０が、基材２０の屈曲変形態様を判別したときに、制御部２２は、判別された屈曲変形態様に応じて、画像表示装置１４の各部を制御する。具体的には、ディスプレイ１３に表示させる画像の変更、記録ヘッド２による印刷動作の実行／中止、及び、電源４２のＯＦＦである。
【００６４】
以下、ユーザーによって基材２０が曲げられたときの基材２０の屈曲変形態様と、それに応じて実行される処理内容について説明する。図６に、図５の７種類の屈曲変形態様に対応する５つの屈曲検出センサ２１の出力信号、及び、屈曲変形態様に割り付けられた処理内容を示す。尚、図６中の、「変形態様」の欄の（ａ）〜（ｇ）は、図５の（ａ）〜（ｇ）の変形態様とそれぞれ対応している。また、“＋”は屈曲検出センサ２１から正の電圧信号が出力される場合、“−”は負の電圧信号が出力される場合、“ＧＮＤ”はグランド信号が出力される場合をそれぞれ示している。
【００６５】
１）画像の拡大縮小
図５（ａ）に示すように、ユーザーによって、矩形シート状の基材２０が、その短辺に平行な軸周りに、全体的に上方（ユーザーから見て手前側）に凸となるように曲げられた場合には、基材２０の裏面に配置された圧電層２３の中央部分が基材２０の長手方向に縮む。すると、基材２０の中央領域に配置された３つの屈曲検出センサ２１ａ〜２１ｃにおいて、第１電極２４にグランド電位よりも低い負の電位が発生するため、図６に示すように、第１〜第３屈曲検出センサ２１ａ〜２１ｃから判別回路４０へ負の電圧信号（−）がそれぞれ出力される。一方、基材２０の角部においてはほとんど変形が生じないことから、角部に配置された第４、第５屈曲検出センサ２１ｄ，２１ｅの出力電圧信号はグランドからほとんど変化しない。これらの出力電圧信号に基づいて、判別回路４０は、基材２０が全体的に上に凸となるように曲げられたと判別し、判別信号を制御部２２へ送信する。この判別回路４０からの判別信号を受けて、制御部２２は、現在表示されている画像の中央部を拡大した拡大画像を、ディスプレイ１３に表示させる。
【００６６】
逆に、図５（ｂ）に示すように、ユーザーによって、基材２０が、全体的に下方（ユーザーから見て向こう側）に凸となるように曲げられた場合には、圧電層２３が基材２０の長手方向に伸張する。このときには、図６に示すように、第１〜第３屈曲検出センサ２１ａ〜２１ｃから判別回路４０へ正の電圧信号（＋）がそれぞれ出力される。これらの出力電圧信号に基づいて、判別回路４０は、基材２０が全体的に下に凸となるように曲げられたと判断し、判別信号を制御部２２へ送信する。この判別回路４０からの判別信号を受けて、制御部２２は、現在表示されている画像の中央部を縮小した縮小画像を、ディスプレイ１３に表示させる。
【００６７】
２）画像切り替え（画像の送り／戻し）
図５（ｃ）に示すように、ユーザーによって、基材２０の右上の角部が上方へ曲げられた場合には、この角部においてのみ圧電層２３が局所的に伸張する。そのため、図６に示すように、右上角部に設けられた第４屈曲検出センサ２１ｄから判別回路４０へ正の電圧信号（＋）が出力される。尚、基材２０の他の領域は変形しないため、残りの屈曲検出センサ２１の出力電圧はグランドのままである。これらの出力電圧信号に基づいて、判別回路４０は、基材２０の右上角部が上方へ曲げられたと判断し、判別信号を制御部２２へ送信する。この判別回路４０からの判別信号を受けて、制御部２２は、画像データ記憶部３１に順序づけされた状態で記憶されている複数の画像データの中から、現在ディスプレイ１３に表示されている画像データよりも１つ後の画像データを選択し、ディスプレイ１３に表示させる画像を、この選択した画像データの画像に切り替える。
【００６８】
また、図５（ｄ）に示すように、ユーザーによって、基材２０の右上の角部が下方へ曲げられた場合には、この角部においてのみ圧電層２３が局所的に縮む。そのため、図６に示すように、右上角部に設けられた第４屈曲検出センサ２１ｄから判別回路４０へ負の電圧信号（−）が出力される一方、残りの屈曲検出センサ２１の出力電圧はグランドのままとなる。これらの出力電圧信号に基づいて、判別回路４０は、基材２０の右上角部が下方へ曲げられたと判断し、判別信号を制御部２２へ送信する。この判別回路４０からの判別信号を受けて、制御部２２は、画像データ記憶部３１に順序づけされた状態で記憶されている複数の画像データの中から、現在ディスプレイ１３に表示されている画像データよりも１つ前の画像データを選択し、ディスプレイ１３に表示させる画像を、この選択した画像データの画像に切り替える。
【００６９】
３）印刷開始／中止
図５（ｅ）に示すように、ユーザーによって、基材２０の左上の角部が上方へ曲げられた場合には、図６に示すように、この角部に設けられた第５屈曲検出センサ２１ｅから判別回路４０へ正の電圧信号（＋）が出力される一方で、残りの屈曲検出センサ２１の出力電圧はグランドのままとなる。これらの出力電圧信号に基づいて、判別回路４０は、基材２０の左上角部が上方へ曲げられたと判断し、判別信号を制御部２２へ送信する。この判別回路４０からの判別信号を受けて、制御部２２は、プリンタ本体側の制御装置４に印刷を指示する信号を送信する。そして、制御装置４の記録制御部３０は、記録ヘッド２と搬送機構３を制御して、ディスプレイ１３に表示されている画像を印刷用紙Ｐに印刷する。
【００７０】
また、図５（ｆ）に示すように、ユーザーによって、基材２０の左上の角部が下方へ曲げられた場合には、図６に示すように、この角部に設けられた第５屈曲検出センサ２１ｅから判別回路４０へ負の電圧信号（−）が出力される一方で、残りの屈曲検出センサ２１の出力電圧はグランドのままとなる。これらの出力電圧信号に基づいて、判別回路４０は、基材２０の左上角部が下方へ曲げられたと判断し、判別信号を制御部２２へ送信する。ここで、上述したように、ディスプレイ１３に表示されている画像の印刷指示がなされた直後に、基材２０の左上角部が下方へ曲げられた場合には、制御部２２は、プリンタ本体側の制御装置４に先ほど指示した印刷を中止させる信号を送信する。すると、制御装置４の記録制御部３０は、記録ヘッド２及び搬送機構３に、画像の印刷を中止させる。
【００７１】
４）電源ＯＦＦ
先に述べた１）〜３）の基材２０の屈曲変形態様（ａ）〜（ｆ）は、画像表示や印刷等の動作を行わせるために、ユーザーの意思でなされるものであったが、この４）で述べる屈曲変形態様は、ユーザーが画像表示装置１４を使用しなくなった状態を認識し、電源スイッチ４３がユーザーによって操作されなくても、電源４２を自動的にＯＦＦにするために検出されるものである。
【００７２】
上記内容についてより具体的に説明する。図７に示すように、画像表示装置１４の使用を終了し、この画像表示装置１４をプリンタ本体６の収納部１５に収納する際には、ユーザーによって基材２０が二つに折り畳まれる可能性が高い。また、画像表示装置１４の基材２０が矩形状である場合には、図５（ｇ）に示すように、その長辺方向両端部が重なるように、基材２０の２つの長辺の中点同士を結ぶ直線Ｌ（図３（ａ）参照）を境に折り畳むのが自然である。そこで、本実施形態においては、基材２０が、直線Ｌを境にして二つ折りされたことが認識されたときには、画像表示装置１４の使用が終了したと判断する。
【００７３】
ユーザーによって、基材２０が、直線Ｌを境に二つに折り畳まれたときには、圧電層２３の、直線Ｌ上に位置する部分のみが伸張する。従って、図６に示すように、直線Ｌ上に位置する第１屈曲検出センサ２１ａから判別回路４０へ正の電圧信号（＋）が出力される一方、残り屈曲検出センサ２１の出力電圧はグランドのままとなる。これらの出力電圧信号に基づいて、判別回路４０は、基材２０が二つに折り畳まれたと判断する。このように、基材２０が二つ折りされた場合には、判別回路４０は、電源制御回路４１に信号を送信して、電源制御回路４１に電源４２をＯＦＦにさせる。
【００７４】
ここで、電源４２をＯＦＦにする電源制御回路４１が、ディスプレイ１３の動作モードを、画像表示可能な通常モードから、それよりも消費電力が低い低電力モードに変更する、本願発明のモード変更手段に相当する。また、図５（ｇ）に示される、電源４２をＯＦＦにするときの基材２０の屈曲変形態様（二つ折り）が、本願発明における第１の屈曲変形態様に相当する。また、図５（ａ）〜（ｄ）に示される、画像変更（画像の拡大縮小や画像の送り／戻し）を行うときの基材２０の屈曲変形態様が、本願発明における第２の屈曲変形態様に相当する。
【００７５】
本実施形態の画像表示装置１４によれば、５つの屈曲検出センサ２１ａ〜２１ｅの出力信号に基づいて、判別回路４０により、基材２０が二つ折りにされたことが判別されたときには、電源４２がＯＦＦにされる。従って、画像表示装置１４の使用終了後に、ユーザーが電源スイッチ４３を操作して電源４２を落とすことを忘れていたとしても、プリンタ本体６の収納部１５に収納するために基材２０を無意識に折り曲げるという動作を行うだけで、電源４２が自動的にＯＦＦになるため、画像表示装置１４を使用していないときの無駄な電力消費を抑えることができる。また、画像表示装置１４の各部へ電力を供給する電源４２をＯＦＦにして電力供給を完全に停止させるため、消費電力を一層低減できる。
【００７６】
また、通常、矩形状の基材２０を二つ折りにして収納する場合には、その長辺方向両端部が重なるように、基材２０の２つの長辺の中点同士を結ぶ直線Ｌで折り畳むのが自然であるが、このような折り畳まれ方がなされたときには、２つの長辺の中点を結ぶ直線Ｌ上の領域が特に大きく屈曲する。ここで、本実施形態では、直線Ｌ上に、この直線Ｌ上の領域における基材２０の屈曲変形を検出する第１屈曲検出センサ２１ａが設けられていることから、この第１屈曲検出センサ２１ａの出力信号から、基材２０が二つ折りされたことを確実に検出することができる。
【００７７】
また、基材２０には複数（５つ）の屈曲検出センサ２１が設けられ、これら複数のセンサ２１の出力信号に基づいて、基材２０の複数種類（７種類）の屈曲変形態様を区別して検出することができる。そして、それら複数種類の屈曲変形態様に対して画像表示装置１４の複数の動作がそれぞれ割り当てられているため、１つの基材２０に複数種類の屈曲変形態様をそれぞれ生じさせることにより、電源のＯＦＦ、ディスプレイ１３の画像変更、及び、印刷の開始／中止をそれぞれ行わせることができる。
【００７８】
次に、前記実施形態に種々の変更を加えた変更形態について説明する。但し、前記実施形態と同様の構成を有するものについては、同じ符号を付して適宜その説明を省略する。
【００７９】
１］前記実施形態では、基材２０に設けられた屈曲検出センサ２１により、基材２０の複数種類の屈曲変形態様（図５（ａ）〜（ｇ））が検出されるようになっていたが、複数種類の屈曲変形態様を区別して判別することは必ずしも必要ではない。例えば、屈曲検出センサ２１は、電源４２のＯＦＦを行う際の１種類の屈曲検出態様（二つ折りなど）のみを検出する、使用終了の検出を専ら行うセンサであってもよい。この場合、ディスプレイ１３の画像変更等の、画像表示装置１４の他の動作は、基材２０やディスプレイ１３に設けられたボタン等の、適宜の構成を有する操作部から入力すればよい。
【００８０】
２］前記実施形態では、判別回路４０によって基材２０に第１の屈曲検出態様（二つ折りなど）が生じたことが検出されたときに、電源制御回路４１が、電源を完全にＯＦＦするようになっている。しかし、電源を完全にＯＦＦする必要は必ずしもなく、少なくとも、ディスプレイ１３が、画像表示可能な状態（通常モード）よりも消費電力が低くなるような状態（低電力モード）に移行するように構成されていればよい。
【００８１】
例えば、低電力モードが、電源４２がディスプレイ１３には駆動電力を供給せず、その他の、消費電力が比較的低い、制御部２２や判別回路４０に制御用の電力を供給するものであってもよい。あるいは、低電力モードが、電源４２からディスプレイ１３に供給される電力が、画像表示を行う通常モードと比べて少ないモード（例えば、スリープモード）であってもよい。
【００８２】
また、判別回路４０によって基材２０に第１の屈曲検出態様が生じたことが検出されたときに、画像表示装置１４のディスプレイ１３だけでなく、プリンタ本体側の各部（記録ヘッド２（画像記録部）や搬送機構３を構成するモータ等）の動作モードを低電力モードに変更するように構成されてもよい。具体的には、判別回路４０によって基材２０の第１の屈曲検出態様が検出されたときに、その信号をプリンタ本体側の制御装置４へ送信し、制御装置４が、電源をＯＦＦにするなど、プリンタ本体側の電源を制御するように構成されてもよい。
【００８３】
３］ディスプレイ１３の動作モードを低電力モードに変更する際の、基材２０の屈曲変形態様（第１の屈曲変形態様）は、前記実施形態で述べたものには限られない。
【００８４】
例えば、矩形状の基材２０が、図３に示す、基材２０の２つの長辺の中点を通る直線Ｌではなく、基材２０の２つの短辺の中点を通る直線（横方向中心線）を境にして二つ折りされてもよい。あるいは、基材２０が三つ折りされてもよい。また、基材２０は、平面視で矩形状のものには限られず、方形状、三角形状、円形状など様々な形状のものを採用することができ、その形状に応じて適宜の畳み方がなされたときに、動作モードが停電量モードに変更されてもよい。
【００８５】
また、画像表示装置１４の使用終了後には、前記実施形態のように基材２０が二つに折り畳まれる他、シート状の基材２０を丸めて筒状の収納部に収納することも十分に考えられる。そこで、図８に示すように、画像表示装置１４の使用終了後に基材２０が丸められて収納されることも想定し、このように一方向に丸められる形態を低電力モード移行のための第１の屈曲変形態様としてもよい。
【００８６】
この図８のような基材２０の屈曲変形態様を検出するためには、まず、前記実施形態の図３（ａ）のように、基材２０の面方向に平行な一方向に沿って並んで位置する、複数の領域における基材２０の屈曲変形をそれぞれ検出する、複数の屈曲検出センサ２１（図３（ａ）では屈曲検出センサ２１ａ〜２１ｃ）が必要である。その上で、複数の屈曲検出センサ２１により、前記一方向に並ぶ複数の領域の屈曲変形が順に検出されたときに、判別回路４０は、基材２０に、第１の屈曲変形態様としての、所定の一方向に丸められる態様が生じたことを判別する。図３（ａ）の形態を例に挙げて具体的に説明すると、図３（ａ）の右から基材２０が丸められたときには、右側に位置する第２屈曲検出センサ２１ｂ、中央の第１屈曲検出センサ２１ａ、左側に位置する第３屈曲検出センサ２１ｃの順に、出力電圧が“ＧＮＤ”から“＋”に変化する。これら３つの屈曲検出センサ２１ａ〜２１ｃの出力信号の変化から、判別回路４０は、基材２０が丸められたことを判別する。
【００８７】
尚、図３（ａ）のように、基材２０が一方向に長い形状を有するものを丸めて収納する場合には、その長手方向に丸めるのが自然である。このような丸め方がなされたときには、基材２０には長手方向に沿って順に屈曲変形が発生することから、この屈曲変形態様を確実に検出することができるように、図３（ａ）のように、複数の屈曲変形センサ２１ｃ，２１ａ，２１ｂの配置領域（屈曲変形を検出する領域）が、基材２０の長手方向に並んでいることが好ましい。
【００８８】
４］基材２０に第１の屈曲変形態様が生じたことが判別回路４０で判別されて、電源制御回路４１によってディスプレイ１３の動作モードが通常モードから低電力モードに変更された後に、判別回路４０により、基材２０に前記第１の屈曲変形態様とは反対方向の屈曲変形が生じたことが判別されたときには、電源制御回路４１が、ディスプレイ１３の動作モードを、停電力モードから通常モードに変更するように構成されてもよい。以下、前記実施形態の図５（ｇ）、図６を参照して具体的に説明する。第１屈曲検出センサ２１ａの出力電圧のみが正の電圧（＋）になり、基材２０に、図５（ｇ）の二つ折りの態様が生じたと判断されて、ディスプレイ１３が低電力モードに移行した後、第１屈曲検出センサ２１ａの出力電圧のみが負の電圧（−）になったときには、図５（ｇ）の二つ折りに閉じられた状態から基材２０が開かれたと判断できる。そこで、この場合に、電源制御回路４１は、ディスプレイ１３の動作モードを通常モードに復帰させる。
【００８９】
これによれば、ディスプレイ１３の動作モードが低電力モードにあるときに、基材２０を、低電力モードへ移行するための第１の屈曲変形態様とは反対方向に屈曲させるだけで、ディスプレイ１３の動作モードを、低電力モードから通常モードへ簡単に復帰させることができる。尚、上記作用を実現するには、低電力モードの状態において、判別回路４０が、基材２０が屈曲操作されたことを判別できることが前提であるので、ディスプレイ１３への電力供給は停止されていてもよいが、少なくとも判別回路４０へは制御用電力が供給されている必要がある。
【００９０】
５］基材２０の屈曲変形を検出する屈曲検出センサの構成は、前記実施形態のものには限られない。
【００９１】
基材２０に設けられる屈曲検出センサの数は、必要に応じて適宜変更可能である。例えば、屈曲検出センサの数を多くするほど、多くの屈曲変形態様を判別することができる。また、１つの屈曲変形態様を判別する場合であっても、屈曲検出センサの数を増やして、多くのセンサからの出力信号を用いることで、より正確な判別が可能となる。
【００９２】
また、各々の屈曲検出センサが、圧電層２３の両面に、この圧電層２３を挟むように対向して配置された２種類の電極を有するものであってもよい。例えば、図９に示す画像表示装置１４Ａにおいては、基材２０が金属材料からなる薄板であり、この基材２０は、圧電層２３の一方の面に接する共通電極を兼ねている。また、圧電層２３の基材２０と反対側の面（下面）には、共通電極としての基材２０と対向する、平面視矩形状の２つの電極２４Ａが配置されている。そして、１つの電極２４Ａと共通電極としての基材２０と、両者の間に厚み方向に挟まれた圧電層２３により、１つの屈曲検出センサ２１Ａが構成されている。尚、共通電極としての基材２０はグランド電位に保持されている。
【００９３】
この構成において、基材２０に屈曲変形が生じて、圧電層２３の、下面に配置された電極２４Ａと上面の共通電極としての基材２０とに挟まれた部分に歪みが生じると、電極２４Ａと基材２０の間に電位差が発生するため、基材２０の屈曲変形を検出することが可能になる。
【００９４】
尚、この図９の例では、金属製の基材２０が圧電層２３を挟んで電極２４Ａと対向する電極を兼ねているが、基材２０が、圧電層２３を挟む１対の電極の一方を兼ねる必要は特になく、圧電層２３の基材２０側の面に、基材２０とは別に電極が配置されてもよい。
【００９５】
さらに、屈曲検出センサは、圧電素子の機械−電気変換作用を利用した圧電センサには限られない。例えば、屈曲検出センサが、基材２０の表面に配置された導電性材料からなり、基材２０の伸縮変形に応じて電気抵抗が変化する、電気抵抗体を有するもの（いわゆる、ひずみゲージ）であってもよい。この場合には、基材２０が屈曲操作されて、この基材２０表面に設けられた電気抵抗体が伸縮したときに、電気抵抗体の電気抵抗が変化する。従って、この電気抵抗体の電気抵抗の変化から、基材２０の屈曲変形を検出することが可能となる。
【００９６】
あるいは、屈曲検出センサが加速度センサであってもよい。この場合には、基材２０の表面（下面）に少なくとも２つの加速度センサがそれぞれ設けられる。そして、これら２つの加速度センサによりそれぞれ検出された、基材２０の２箇所の移動（変位）に基づいて基材２０の屈曲変形を検出することができる。
【００９７】
７］画像を表示するディスプレイ１３は、基材２０に一体的に設けられている必要は必ずしもない。即ち、図１０、図１１に示すプリンタ１Ｂのように、シート状の基材２０を有する入力装置１４Ｂがプリンタ本体６内の制御装置４Ｂと相互に通信可能に接続されるとともに、画像を表示するディスプレイ１３Ｂがプリンタ本体６側に設けられてもよい。
【００９８】
図１１に示すように、この変更形態では、ディスプレイ１３Ｂを制御する表示制御部２２Ｂ（表示制御手段）が、プリンタ１Ｂの制御装置４Ｂに設けられている。また、入力装置１４Ｂの基材２０の屈曲変形を判別する判別回路４０と、プリンタ１Ｂの電源４２を制御する電源制御回路４１が、入力装置１４Ｂとは別に設けられている。
【００９９】
そして、入力装置１４Ｂの屈曲検出センサ２１の出力信号に基づいて、判別回路４０が、基材２０に、二つ折り等の第１の屈曲検出態様が生じたと判断したときには、電源制御回路４１が、電源４２をＯＦＦするなどして、プリンタ１の動作モードを低電力モードに変更する。また、判別回路４０が、基材２０に、前記第１の屈曲検出態様とは異なる、第２の屈曲検出態様が生じたと判断したときには、表示制御部２２Ｂはディスプレイ１３Ｂに表示させる画像を変更する。尚、この形態においては、ディスプレイ１３Ｂと入力装置１４Ｂとを備えたプリンタ１Ｂ全体が、本願発明の画像表示装置に相当する。
【０１００】
このように、ディスプレイ１３Ｂが入力装置１４Ｂの基材２０から分離して設けられている場合には、入力装置１４Ｂの構成が簡単になる。また、ディスプレイ１３Ｂを、電子ペーパー等のフレキシブルなディスプレイ１３で構成する必要はない。
【０１０１】
８］前記実施形態の画像表示装置１４は、記録ヘッド２を備えたプリンタ１に接続されて使用されるものであった。しかし、ディスプレイを備えた画像表示装置が、プリンタ等の他の装置に接続されずに、単体でも使用可能なものであってもよい。
【符号の説明】
【０１０２】
１，１Ｂ  プリンタ
２  記録ヘッド
１３，１３Ｂ  ディスプレイ
１４，１４Ａ  画像表示装置
１４Ｂ  入力装置
２０  基材
２１  屈曲検出センサ
２２  制御部
２２Ｂ  表示制御部
３０  記録制御部
４０  判別回路
４１  電源制御回路
４２  電源
【図１】
2010224480.tif 000003
【図２】
2010224480.tif 000004
【図３】
2010224480.tif 000005
【図４】
2010224480.tif 000006
【図５】
2010224480.tif 000007
【図６】
2010224480.tif 000008
【図７】
2010224480.tif 000009
【図８】
2010224480.tif 000010
【図９】
2010224480.tif 000011
【図１０】
2010224480.tif 000012
【図１１】
2010224480.tif 000013